(57)【要約】【課題】本発明は、シール材の誤組み付けを防止する電子機器収納容器を提供することを解決すべき課題とする。【解決手段】本発明の電子機器収納容器は、電子機器を収納する収納空間を区画する第１筐体及び第２筐体と、該第１筐体と該第２筐体との間に介在させた成形リングシールと、からなる電子機器収納容器であって、前記成形リングシールはリングシール部３１と該リングシール部３１の側面より突出する棒状の誤組み付け防止突部３２とからなることを特徴とする。【選択図】図２
2007242688.tif 000002
【特許請求の範囲】
【請求項１】
電子機器を収納する収納空間を区画する第１筐体及び第２筐体と、該第１筐体と該第２筐体との間に介在させた成形リングシールと、からなる電子機器収納容器であって、
前記成形リングシールはリングシール部と該リングシール部の側面より突出する棒状の誤組み付け防止突部とからなることを特徴とする電子機器収納容器。
【請求項２】
前記第１筐体及び前記第２筐体の少なくとも一方の筐体は、前記成形リングシールの前記リングシール部を収納するリング状のリング溝と、該リング溝と連通し該成形リングシールの前記誤組み付け防止突部を収納する誤組み付け防止溝とを持つ請求項１記載の電子機器収納容器。
【請求項３】
前記誤組み付け防止突部は前記リングシール部に対して斜め方向に突出している請求項１又は２記載の電子機器収納容器。
【請求項４】
前記リングシール部の断面形状は略円形であり、前記誤組み付け防止突部の断面形状は該リングシール部の断面形状と略同一である請求項１〜３のいずれかに記載の電子機器収納容器。
【請求項５】
前記誤組み付け防止突部の長さは前記リングシール部の断面径の長さより長い請求項１〜４のいずれかに記載の電子機器収納容器。
【発明の詳細な説明】
【技術分野】
【０００１】
本発明は、筐体の成形リングシールの誤組付けを防止することを目的とした構造を有する電子機器収納容器に関するものである。
【背景技術】
【０００２】
電子機器の収納容器は、収納空間を区画する複数の筐体と、それらの筐体の間にパッキン等のシール材を介在させて防水、防滴構造とする構成となっている。従来筐体のシール構造は、筐体の接合面にパッキン等の挿入溝が形成され、該挿入溝にパッキン等をはめ込み、最終的にボルト等で各筐体間を固定している構造となっていた。
【特許文献１】特開平１０−１０７４５４号公報
【特許文献２】特開平７−３２１４７９号公報
【発明の開示】
【発明が解決しようとする課題】
【０００３】
しかしながら収納容器の形状によっては、パッキン等のシール材に一見分かりにくい縦横比率の違う形状が要求されることがある。上記したような電子機器の収納容器においては、そのような一見分かりにくい縦横比率を持つシール材を組み付ける際組み付け作業者が間違えて違う方向に組み付ける恐れがある。一見分かりにくい方向性を持つシール材を組み付ける際に間違った方向に組み付けるとシール機能を損ない、最悪の状態では全くシール出来ないという問題が発生する。
【０００４】
このような収納容器の組み付け時には作業者の勘に頼ることとなり、その時々によって作業状態は大きく左右され、また間違えないように注意を払うことにより組み立て時に時間がかかり作業性の向上を妨げる原因となる。
【０００５】
本発明は、このような事情に鑑みて為されたものであり、一見方向性の分かりにくい形状を持つ電子機器収納容器においてシール材等の誤組み付けを防止する電子機器収納容器を提供することを目的とする。
【課題を解決するための手段及び発明の効果】
【０００６】
そこで、本発明者等はこの課題を解決すべく鋭意研究し、試行錯誤を重ねた結果、成形リングシールに誤組み付け防止突部を形成することによって、誤組み付けが防止出来、組み付け作業性が向上することがわかり、本発明を完成するに至った。
【０００７】
すなわち、本発明の電子機器収納容器は、電子機器を収納する収納空間を区画する第１筐体及び第２筐体と、該第１筐体と該第２筐体との間に介在させた成形リングシールと、からなる電子機器収納容器であって、前記成形リングシールはリングシール部と該リングシール部の側面より突出する棒状の誤組み付け防止突部とからなることを特徴とする。
【０００８】
本発明の電子機器収納容器は、筐体間に介在させた成形リングシールがリングシール部と該リングシール部の側面より突出する棒状の誤組み付け防止突部とからなるため、成形リングシールの形状が一見分かりにくい縦横比率を有する形状であっても、誤組み付け防止突部を容易に確認出来るため成形リングシールの誤組み付けを防止出来る。
【０００９】
また前記第１筐体及び前記第２筐体の少なくとも一方の筐体は、前記成形リングシールの前記リングシール部を収納するリング状のリング溝と、該リング溝と連通し該成形リングシールの前記誤組み付け防止突部を収納する誤組み付け防止溝とを持つことが好ましい。
【００１０】
本発明の電子機器収納容器は、筐体の少なくとも一方に前記リングシール部を収納するリング状のリング溝と、該リング溝と連通し該成形リングシールの前記誤組み付け防止突部を収納する誤組み付け防止溝とを持つことにより、仮に誤組み付けを行っても、前記誤組み付け防止溝に前記誤組み付け防止突部が収納されないことによって誤組み付けがすぐわかり、成形リングシールの誤組み付けがすぐに発見できる。
【００１１】
また前記誤組み付け防止突部は前記リングシール部に対して斜め方向に突出しているとさらに好ましい。
【００１２】
前記誤組み付け防止突部が前記リングシール部に対して斜め方向に突出していることにより成形リングシールの左右反転及び表裏反転した誤組み付けを防ぐことが出来る。
【００１３】
また前記リングシール部の断面形状は略円形であり、前記誤組み付け防止突部の断面形状は該リングシール部の断面形状と略同一であるとよい。
【００１４】
前記誤組み付け防止突部の断面形状が該リングシール部の断面形状と略同一であることにより該誤組付け防止突部がはっきりわかり、作業者が間違えにくい。
【００１５】
また前記誤組み付け防止突部の長さは前記リングシール部の断面径の長さより長いことが好ましい。
【００１６】
前記誤組み付け防止突部の長さは前記リングシール部の断面径の長さより長いと該リング溝と連通する該誤組み付け防止溝に該誤組み付け防止突部が確実に収納され、収納されなかった時に該リング溝の壁面にあたり誤組み付けが発見されやすい。
【発明を実施するための最良の形態】
【００１７】
本発明の電子機器収納容器は、電子機器を収納する収納空間を区画する第１筐体及び第２筐体と、該第１筐体と該第２筐体との間に介在させた成形リングシールとからなる。
【００１８】
第１筐体と第２筐体とは成形リングシールを介して合体し、筐体内部に電子機器を収納する収納空間を区画する。また成形リングシールを介することにより筐体内部を防水、防滴構造とする構成となっている。
【００１９】
第１筐体及び第２筐体の平面形状、断面形状は共に限定されず内部に収納する電子機器の形状に応じた形状になっていればよい。第１筐体及び第２筐体はその接合面において成形リングシールを介する。従って成形リングシールは第１筐体及び第２筐体の略端部にリング状に途切れがないように介在される。
【００２０】
前記成形リングシールはリングシール部と該リングシール部の側面より突出する棒状の誤組み付け防止突部とからなる。
【００２１】
リングシール部及び誤組み付け防止突部の断面形状は特に限定されない。断面形状が矩形、略円形、楕円形等でもよい。
【００２２】
リングシール部は前記筐体の平面形状に応じて成形されるリング形状をなす。筐体の平面形状に合わせ略円形、楕円形、三角形、矩形、多角形等様々な平面形状であってよい。
【００２３】
誤組み付け防止突部はリングシール部の側面より突出する棒状の形状をなす。作業者が突部をはっきり認識できる大きさ、形状を有する。
【００２４】
誤組み付け防止突部は断面形状が該リングシール部の断面形状と略同一であると該誤組付け防止突部がはっきりわかり好ましい。また誤組み付け防止突部の長さはリングシール部の断面径の長さより長いと該誤組付け防止突部がはっきりわかり好ましい。
【００２５】
誤組み付け防止突部のリングシール部における位置は特に特定されない。筐体形状に合わせ誤組み付け防止突部はリングシール部の内側方向に又リングシール部の外側方向に向かって突出していてもよい。ただし誤組み付け防止突部も成形リングシールの一部であり、第１筐体と第２筐体の接合面に介在し、組み付け後は筐体外部からは観察されない。
【００２６】
誤組み付け防止突部がリングシール部と間違えられなければ、誤組み付け防止突部はリングシール部に対してどのような角度を持って突出していてもよい。誤組み付けしにくい角度になっていることが好ましい。例えば斜め方向に突出していると成形リングシールの左右反転及び表裏反転した誤組み付けも防ぐことが出来る。
【００２７】
本発明の電子機器収納容器は、筐体の少なくとも一方に前記リングシール部を収納するリング状のリング溝と、該リング溝と連通し該成形リングシールの前記誤組み付け防止突部を収納する誤組み付け防止溝とを持つことが好ましい。
【００２８】
該リング溝及び該誤組み付け防止溝は、第１筐体と第２筐体との接合面に形成される。リング溝はリングシール部を収納出来る形状であれば特にその断面形状は限定されない。断面形状は矩形、半円形、楕円形等でもよい。
【００２９】
リング溝及び誤組み付け防止溝は、成形リングシールが収納されることにより防水防滴構造となるために、成形リングシールの収納時に水分等が通り抜けられるような隙間を有しない形状となっている。
【実施例】
【００３０】
以下に図１〜図５を参照しながら本発明の実施例を説明する。
【００３１】
図１に本発明の電子機器収納容器の一実施例の断面概略図を示す。図２に本発明の電子機器収納容器の一実施例の部分分解平面図を示す。図３に本発明の一実施例におけるリングシール部と誤組み付け防止突部とを示す断面模式図を示す。図４は図３における矢印Ｃから見た部分拡大図を示す。図５に本発明の電子機器収納容器の他の実施例の部分分解平面図を示す。
【００３２】
図１の断面概略図に示すように内部空間の上側の容器となる第１筐体１と内部空間の下側の容器となる第２筐体２とは、第１筐体１の接合面に形成された断面形状が矩形のシール収容溝４内に収納された断面形状が略円形の成形リングシール３を介在させて密閉される。
【００３３】
密閉された第１筐体１と第２筐体２とは内部に収納空間を区画し、区画された収納空間内に電子機器（不図示）を収納する。図１には第１筐体１側にシール収容溝４が形成されているものを示したが、第２筐体２側にシール収容溝４が形成されていてもよいし、第１筐体１と第２筐体２の両方に形成されていてもよい。
【００３４】
図２に第１筐体１に成形リングシール３が収納された様子を示す部分分解平面図を示す。図２において、シール収容溝４のうち、成形リングシール３のリングシール部３１を収納するリング溝４１は、矩形の四隅を落とした８角形の平面形状をしている。リング溝４１は縦と横の長さが一見すると同様に見えるが縦横比は１：１ではなく１：１．０３である。リングシール部３１も同様の縦横比である。
【００３５】
リング溝４１の断面形状は矩形であり、リングシール部３１の断面形状は略円形である。リング溝４１はその断面形状の幅がリングシール部３１の断面幅より大きく、且つ第１筐体１と第２筐体２との組み付け時にリングシール部３１がリング溝４１の底面と第２筐体２に接触し筐体同士が密閉されることが出来る深さとなっている。
【００３６】
第１筐体１は、筐体の一辺に筐体の内側に向かってリング溝４１に連通する誤組み付け防止溝４２を有し、成形リングシール３の誤組み付け防止突部３２を収納している。成形リングシール３は誤組み付け防止突部３２を有することにより成形リングシール３の縦横を間違うことなく第１筐体１に組み付けられることが出来る。
【００３７】
図２において誤組み付け防止溝４２は８角形の四隅を落とした一辺に形成されている。筐体に収容する部品の配置によって誤組み付け防止突部３２の位置は制約されるが、矩形の筐体の角部は比較的スペースに余裕があることが多く、誤組み付け防止突部３２を形成するのには好ましい。
【００３８】
図３、図４に誤組み付け防止突部３２の形状について示した断面模式図と平面図を示す。
【００３９】
図３においてリングシール部３１の断面径をＡ、誤組み付け防止突部３２の長さをＢと表す。本実施例では、図３に表すようにＢ＞Ａとなっている。誤組み付け防止突部は突部としてはっきり認識出来るように、誤組み付け防止突部の長さは少なくともリングシール部の断面径より長い方が好ましい。筐体内部の収納空間を妨げないために好ましくはＡ＜Ｂ＜２×Ａが望ましい。
【００４０】
また図３、図４に示すように誤組み付け防止突部３２の断面形状はリングシール部３１の断面形状と略同一の略円形である。断面形状が略同一であることにより誤組み付け防止突部がはっきり認識出来る。従って誤って取り付けた時に、誤組み付け防止突部３２がリング溝４１の壁上に置かれ、誤組み付け防止突部３２の厚みのため誤組み付けが容易に発見できる。
【００４１】
また図５に示す他の実施例では、誤組み付け防止突部３２が前記リングシール部３１に対して斜め方向に突出している状態を示した。この場合誤組み付け防止溝４２もリング溝４１に対し斜め方向に形成されている。誤組み付け防止突部が斜め方向に形成されていることによって成形リングシール３が左右又は表裏に反対に組み付けられることが防止出来る。特に、本実施例のように、縦と横の長さの差が僅かで、角部などに誤組み付け防止突部３２を設けた場合など、左右又は表裏に反対に組みつけられる虞が高い場合に効果的である。
【００４２】
このように上記電子機器収納容器は、成形リングシール３が誤組み付け防止突部３２を有することにより成形リングシール３の誤組み付けを容易に防止出来る。
【図面の簡単な説明】
【００４３】
【図１】本発明の電子機器収納容器の一実施例の断面概略図である。
【図２】本発明の電子機器収納容器の一実施例の部分分解平面図である。
【図３】本発明の一実施例におけるリングシール部と誤組み付け防止突部とを示す断面模式図である。
【図４】図３における矢印Cから見た部分拡大図である。
【図５】本発明の電子機器収納容器の他の実施例の部分分解平面図である。
【符号の説明】
【００４４】
１、第１筐体、２、第２筐体、３、成形リングシール、３１、リングシール部、３２、誤組み付け防止突部、４、シール収容溝、４１、リング溝、４２、誤組み付け防止溝。
【図１】
2007242688.tif 000003
【図２】
2007242688.tif 000004
【図３】
2007242688.tif 000005
【図４】
2007242688.tif 000006
【図５】
2007242688.tif 000007